(57)【要約】【課題】ロンパースとしての機能を備えながら上衣と下衣を別々に着用したようなファッション性を得ること。【解決手段】乳児用衣服１は、シャツ３とパンツ４とが一続きとなったロンパースである。パンツ４の腰廻部分の外周にシャツ４の裾２が設けられる。シャツ３とパンツ４は別物で形成される。パンツ４の腰廻部分が外側へ折り返され、その折り返し部分の周縁とシャツ３の裾２の周縁とが、互いに縫い糸７で縫い合わされる。パンツ４の折り返し部分とシャツ３の裾２とが縫い糸８で縫い合わされる。シャツ３はその左右両脇に身丈方向に沿った縫い目９を有する。パンツ４の折り返し部分とシャツ３の裾２とは、シャツ３の縫い目９に重ねて縫い合わされる。【選択図】        図１
2007056404.tif 000002
【特許請求の範囲】
【請求項１】
上衣と下衣とが一続きとなった乳児用衣服であって、
前記下衣の腰廻部分の外周に前記上衣の裾を設けたことを特徴とする乳児用衣服。
【請求項２】
上衣と下衣とが一続きとなった乳児用衣服であって、
前記上衣と前記下衣は別物で形成され、前記下衣の腰廻部分が外側へ折り返され、その折り返し部分の周縁と前記上衣の裾の周縁とが互いに縫い合わされると共に、前記折り返し部分の少なくとも折り曲げ部位が前記裾に縫い合わされたことを特徴とする乳児用衣服。
【請求項３】
上衣と下衣とが一続きとなった乳児用衣服であって、
前記上衣と前記下衣は別物で形成され、前記下衣の腰廻部分が外側へ折り返され、その折り返し部分の周縁と前記上衣の裾の周縁とが互いに縫い合わされると共に、前記折り返し部分と前記裾とが身丈方向に沿って縫い合わされたことを特徴とする乳児用衣服。
【請求項４】
前記上衣はその左右両脇に身丈方向に沿った縫い目を有し、前記折り返し部分と前記裾とが前記上衣の縫い目に重ねて縫い合わされたことを特徴とする請求項２又は３に記載の乳児用衣服。
【請求項５】
上衣と下衣とが一続きとなった乳児用衣服であって、
前記上衣と前記下衣は一体物で形成され、前記下衣の腰廻部分が外側へ折り返され、その折り返し部分の周縁と、その折り返し部分に連続する前記上衣の裾となる部分の周縁とが互いに縫い合わされると共に、前記折り返し部分の少なくとも折り曲げ部位が前記裾となる部分に縫い合わされたことを特徴とする乳児用衣服。
【請求項６】
上衣と下衣とが一続きとなった乳児用衣服であって、
前記上衣と前記下衣は一体物で形成され、前記下衣の腰廻部分が外側へ折り返され、その折り返し部分の周縁と、その折り返し部分に連続する前記上衣の裾となる部分の周縁とが互いに縫い合わされると共に、前記折り返し部分と前記裾となる部分とが身丈方向に沿って縫い合わされたことを特徴とする乳児用衣服。
【請求項７】
前記上衣はその左右両脇に身丈方向に沿った縫い目を有し、前記折り返し部分と前記裾となる部分とが前記上衣の縫い目に重ねて縫い合わされたことを特徴とする請求項５又は６に記載の乳児用衣服。
【請求項８】
前記折り返し部分の折り曲げ部位に沿ってゴム紐を縫い付けたことを特徴とする請求項２乃至７の何れかに記載の乳児用衣服。
【発明の詳細な説明】
【技術分野】
【０００１】
この発明は、乳児が着用する乳児用衣服に係り、詳しくは、上衣と下衣とが一続きとなった乳児用衣服に関する。
【背景技術】
【０００２】
従来より、乳児の衣服に係り、シャツ等の上衣と、オムツカバー等の下衣を別々に着用して上衣の裾を出すようにしたスタイルがある。このスタイルによれば、楽な着こなしを印象付ける服装の趣向（ファッション性）を得ることができる。しかし、このスタイルでは、乳児の腹や背中が露出してしまうことがあった。
【０００３】
そこで、乳児の腹や背中を露出させない衣服として、例えば、下記の特許文献１〜５に記載された、上衣と下衣とが一続きとなった「ロンパース」と呼ばれる乳児用衣服がある。
【０００４】
【特許文献１】特開平１０−２１２６０４号公報
【特許文献２】特開２００２−３２７３０８号公報
【特許文献３】特開２００３−０４９３０３号公報
【特許文献４】特開２００３−０５５８０３号公報
【特許文献５】特開２００３−０５５８０４号公報
【発明の開示】
【発明が解決しようとする課題】
【０００５】
ところが、上記各特許文献１〜５に記載されたロンパースでは、外観上、単なる上下つなぎ服の印象が強く、乳児に着用した場合、そのままでは窮屈な着こなしの印象があり、ファッション性に欠けるという問題があった。また、ロンパースの上からズボンを履くこともあるが、この場合には、上衣の裾をズボンの中に入れたスタイルとなることから、これもまたファッション性に欠けるという印象があった。
【０００６】
この発明は上記事情に鑑みてなされたものであって、その目的は、ロンパースとしての機能を備えながら、上衣と下衣を別々に着用したようなファッション性を得ることを可能とした乳児用衣服を提供することにある。
【課題を解決するための手段】
【０００７】
上記目的を達成するために、請求項１に記載の発明は、上衣と下衣とが一続きとなった乳児用衣服であって、下衣の腰廻部分の外周に上衣の裾を設けたことを趣旨とする。
【０００８】
上記発明の構成によれば、上衣と下衣とが一続きとなっているので、乳児に着用しても腹や背中が露出しないなどの機能が得られる。また、下衣の腰廻部分の外周に上衣の裾を設けたので、一続きの衣服であっても上衣と下衣を別々に着用したような外観が得られる。
【０００９】
上記目的を達成するために、請求項２に記載の発明は、上衣と下衣とが一続きとなった乳児用衣服であって、上衣と下衣は別物で形成され、下衣の腰廻部分が外側へ折り返され、その折り返し部分の周縁と上衣の裾の周縁とが互いに縫い合わされると共に、折り返し部分の少なくとも折り曲げ部位が裾に縫い合わされたことを趣旨とする。
【００１０】
上記発明の構成によれば、下衣の折り返し部分の周縁と上衣の裾の周縁とが互いに縫い合わされることで、別物で形成された上衣と下衣とが一続きとなっていることから、乳児に着用しても腹や背中が露出しないなどの機能が得られる。また、下衣の折り返し部分の周縁と上衣の裾の周縁とが互いに縫い合わされ、折り返し部分の少なくとも折り曲げ部位が裾に縫い合わされるので、折り返し部分と裾の状態が保たれる。従って、一続きの衣服であっても上衣と下衣を別々に着用したような外観が得られる。また、裾に形崩れが起きにくく、どのように変形しても裾のある状態に戻すことができる。
【００１１】
上記目的を達成するために、請求項３に記載の発明は、上衣と下衣とが一続きとなった乳児用衣服であって、上衣と下衣は別物で形成され、下衣の腰廻部分が外側へ折り返され、その折り返し部分の周縁と上衣の裾の周縁とが互いに縫い合わされると共に、折り返し部分と裾とが身丈方向に沿って縫い合わされたことを趣旨とする。
【００１２】
上記発明の構成によれば、下衣の折り返し部分の周縁と上衣の裾の周縁とが互いに縫い合わされることで、別物で形成された上衣と下衣とが一続きとなっていることから、乳児に着用しても腹や背中が露出しないなどの機能が得られる。また、下衣の折り返し部分の周縁と上衣の裾の周縁とが互いに縫い合わされ、折り返し部分と裾とが身丈方向に沿って縫い合わされるので、折り返し部分と裾の状態が保たれる。従って、一続きの衣服であっても上衣と下衣を別々に着用したような外観が得られる。また、裾に形崩れが起きにくく、どのように変形しても裾のある状態に戻すことができる。
【００１３】
上記目的を達成するために、請求項４に記載の発明は、請求項２又は３に記載の発明において、上衣はその左右両脇に身丈方向に沿った縫い目を有し、折り返し部分と裾とが上衣の縫い目に重ねて縫い合わされたことを趣旨とする。
【００１４】
上記発明の構成によれば、請求項２又は３に記載の発明の作用に加え、折り返し部分と裾とが上衣の縫い目に重ねて縫い合わされるので、折り返し部分と裾との縫い目が目立つことがない。また、縫い目が左右両脇に位置するので、乳児の腹と背中に対応して、折り返し部分と裾とが縫い合わされない部分ができる。
【００１５】
上記目的を達成するために、請求項５に記載の発明は、上衣と下衣とが一続きとなった乳児用衣服であって、上衣と下衣は一体物で形成され、下衣の腰廻部分が外側へ折り返され、その折り返し部分の周縁と、その折り返し部分に連続する上衣の裾となる部分の周縁とが互いに縫い合わされると共に、折り返し部分の少なくとも折り曲げ部位が裾となる部分に縫い合わされたことを趣旨とする。
【００１６】
上記発明の構成によれば、上衣と下衣は一体物で形成されることで一続きとなっていることから、乳児に着用しても腹や背中が露出しないなどの機能が得られる。また、下衣の折り返し部分の周縁と上衣の裾となる部分の周縁とが互いに縫い合わされ、折り返し部分の少なくとも折り曲げ部位が裾となる部分に縫い合わされるので、折り返し部分と裾となる部分の状態が保たれる。従って、一続きの衣服であっても上衣と下衣を別々に着用したような外観が得られる。また、裾となる部分に形崩れが起きにくく、どのように変形しても裾のある状態に戻すことができる。
【００１７】
上記目的を達成するために、請求項６に記載の発明は、上衣と下衣とが一続きとなった乳児用衣服であって、上衣と下衣は一体物で形成され、下衣の腰廻部分が外側へ折り返され、その折り返し部分の周縁と、その折り返し部分に連続する上衣の裾となる部分の周縁とが互いに縫い合わされると共に、折り返し部分と裾となる部分とが身丈方向に沿って縫い合わされたことを趣旨とする。
【００１８】
上記発明の構成によれば、上衣と下衣は一体物で形成されることで一続きとなっていることから、乳児に着用しても腹や背中が露出しないなどの機能が得られる。また、下衣の折り返し部分の周縁と上衣の裾となる部分の周縁とが互いに縫い合わされ、折り返し部分と裾となる部分が身丈方向に沿って縫い合わされるので、  折り返し部分と裾となる部分の状態が保たれる。従って、一続きの衣服であっても上衣と下衣を別々に着用したような外観が得られる。また、裾となる部分に形崩れが起きにくく、どのように変形しても裾のある状態に戻すことができる。
【００１９】
上記目的を達成するために、請求項７に記載の発明は、請求項５又は６に記載の発明において、上衣はその左右両脇に身丈方向に沿った縫い目を有し、折り返し部分と裾となる部分とが上衣の縫い目に重ねて縫い合わされたことを趣旨とする。
【００２０】
上記発明の構成によれば、請求項５又は６に記載の発明の作用に加え、折り返し部分と裾となる部分が上衣の縫い目に重ねて縫い合わされるので、折り返し部分と裾となる部分の縫い目が目立つことがない。また、縫い目が左右両脇に位置するので、乳児の腹と背中に対応して、折り返し部分と裾とが縫い合わされない部分ができる。
【００２１】
上記目的を達成するために、請求項８に記載の発明は、請求項２乃至７の何れかに記載の発明において、折り返し部分の折り曲げ部位に沿ってゴム紐を縫い付けたことを趣旨とする。
【００２２】
上記発明の構成によれば、請求項２乃至７の何れかに記載の発明の作用に加え、下衣の腰廻部分がゴム紐により伸縮自在となる。
【発明の効果】
【００２３】
請求項１に記載の発明によれば、乳児の腹や背中を露出させないなどのロンパースとしての機能を得ることができ、裾を設けたことで上衣と下衣を別々に着用したような楽な着こなしを印象付けるファッション性を得ることができる。
【００２４】
請求項２に記載の発明によれば、乳児の腹や背中を露出させないなどのロンパースとしての機能を得ることができ、裾を設けたことで上衣と下衣を別々に着用したような楽な着こなしを印象付けるファッション性を得ることができ、そのファッション性を変わりなく保つことができる。
【００２５】
請求項３に記載の発明によれば、乳児の腹や背中を露出させないなどのロンパースとしての機能を得ることができ、裾を設けたことで、上衣と下衣を別々に着用したような楽な着こなしを印象付けるファッション性を得ることができ、そのファッション性を変わりなく保つことができる。
【００２６】
請求項４に記載の発明によれば、請求項２又は３に記載の発明の効果に加え、余分な縫い目が見えないので裾の外観を損なうことがない。乳児の腹と背中に対応する部分で衣服に伸縮の余裕ができ、着用時に身体の自由度を高めることができる。
【００２７】
請求項５に記載の発明によれば、乳児の腹や背中を露出させないなどのロンパースとしての機能を得ることができ、裾を設けたことで、上衣と下衣を別々に着用したような楽な着こなしを印象付けるファッション性を得ることができ、そのファッション性を変わりなく保つことができる。
【００２８】
請求項６に記載の発明によれば、乳児の腹や背中を露出させないなどのロンパースとしての機能を得ることができ、裾を設けたことで、上衣と下衣を別々に着用したような楽な着こなしを印象付けるファッション性を得ることができ、そのファッション性を変わりなく保つことができる。
【００２９】
請求項７に記載の発明によれば、請求項５又は６に記載の発明の効果に加え、余分な縫い目が見えないので裾の外観を損なうことがない。乳児の腹と背中に対応する部分で衣服に伸縮の余裕ができ、着用時に身体の自由度を高めることができる。
【００３０】
請求項８に記載の発明によれば、請求項２乃至７の何れかに記載の発明の効果に加え、下衣の腰廻部分を乳児の腰廻にフィットさせることができる。
【発明を実施するための最良の形態】
【００３１】
［第１実施形態］
以下、本発明の乳児用衣服を具体化した第１実施形態を図面を参照して詳細に説明する。図１に、この実施形態の乳児用衣服１を正面図により示す。図２に、図１の裾２を裏返して示す。図３に、乳児用衣服１を分解正面図により示す。
【００３２】
図１，２に示すように、この衣服１は、上衣としての半袖シャツ３と下衣としてのパンツ４が一続きとなった、いわゆる「ロンパース」である。パンツ４の腰廻部分４ａの外周には、シャツ３の裾２が設けられる。シャツ３には、着脱時に首廻部分３ａを拡げるために、周知の構成により左肩部分３ｂがホック５により開閉可能となっている。また、パンツ４には、この衣服１を着脱するために、周知の構成により股間部分４ｂがホック５により開閉可能となっている。
【００３３】
図３に示すように、この衣服１のシャツ３とパンツ４は別々の布地により別物で形成される。パンツ４の腰廻部分４ａは外側へ折り返され、その折り返し部分６の周縁とシャツ３の裾２の周縁とが互いに縫い糸７により縫い合わされる。また、折り返し部分６と裾２とは、身丈方向に沿って互いに縫い糸８により縫い合わされる。これら縫い糸７，８は、図１，２等において、説明の便宜のために太線で示される。この実施形態で、シャツ３はその左右両脇に身丈方向に沿った縫い目９を有する。折り返し部分６と裾２とは、このシャツ３の縫い目９に重ねて互いに縫い糸８により縫い合わされる。また、図２，３に示すように、折り返し部分６の折り曲げ部位１０に沿ってゴム紐１１が縫い付けられる。
【００３４】
図４に、折り返し部分６と裾２とが身丈方向に沿って縫い合わされた縦縫い部分１２を断面図により示す。図５には、上記縦縫い部分１２以外の縫われていない非縦縫い部分を断面図により示す。図６には、図５の非縦縫い部分が変形した状態を断面図により示す。図４〜６において、各短太線はそれぞれ縫い糸７，８を示す。図５に示すように、非縦縫い部分では、周縁を除いて折り返し部分６と裾２とが分離自在であることから、図６に示すように、同部分が余裕を持って変形自在である。
【００３５】
以上説明したこの実施形態の乳児用衣服１によれば、シャツ３とパンツ４とが一続きとなっていることから、図７に示すように、乳児１３が着用しても腹や背中が露出することがないなどの機能が得られる。つまり、ロンパースとしての機能をそのまま得ることができる。また、パンツ４の腰廻部分４ａの外周にシャツ３の裾２を設けたので、図７に示すように、一続きの衣服１であっても、シャツ３とパンツ４を別々に着用したような外観が得られる。すなわち、この衣服１は、外観上、単なる上下つなぎ服の印象がなく、乳児１３が着用した場合、裾２を設けたことで、シャツ３とパンツ４を別々に着用したような楽な着こなしを印象付けるファッション性を得ることができる。また、図８に示すように、パンツ４の上からズボン１４を重ねて履いた場合でも、裾２をズボン１４の外へ出すことができ、ズボン１４を重ね履きしたときのファッション性を向上させることができる。
【００３６】
この実施形態では、パンツ４の折り返し部分６の周縁とシャツ３の裾２の周縁とが互いに縫い合わされ、それら折り返し部分６と裾２とが身丈方向に沿って縫い合わされるので、折り返し部分６と裾２の状態が保たれる。従って、裾２に形崩れが起きにくく、衣服１がどのように変形しても裾２のある状態に戻すことができる。このため、乳児１３が衣服１を着用してどのように動き回っても、シャツ３とパンツ４を別々に着用したようなファッション性を変わりなく保つことができる。
【００３７】
また、この実施形態では、折り返し部分６と裾２とが左右両脇にてシャツ３の縫い目９に重ねて縫い糸８により縫い合わされるので、その縦縫い部分１２の縫い目が目立つことがない。このため、裾２の部分に余分な縫い目が現れないので、裾２の外観を損なうことがない。また、縦縫い部分１２の縫い目が左右両脇に位置するので、乳児１３の腹と背中に対応して、折り返し部分６と裾２とが縫い合わされない非縦縫い部分ができる。このため、乳児１３の腹と背中に対応する部分で衣服１に伸縮の余裕ができる。これにより、乳児１３が衣服１を着用してどのように動き回っても、衣服１の腹と背中の部分が突っ張ることがなく、着用時に身体の自由度を高めることができる。
【００３８】
更に、この実施形態では、パンツ４の腰廻部分４ａがゴム紐１１により伸縮自在となる。このため、パンツ４の腰廻部分４ａを乳児１３の腰廻にフィットさせることができる。
［第２実施形態］
次に、本発明の乳児用衣服を具体化した第２実施形態を図面を参照して詳細に説明する。以下に説明する各実施形態（本実施形態を含む）では、第１実施形態と同じ構成要素については同一符号を付して説明を省略し、異なった点を中心に説明する。
【００３９】
図９に、この実施形態の乳児用衣服２１を正面図により示す。図１０に、図９の裾となる部分２２を形成する前の乳児用衣服２１の状態を正面図により示す。この実施形態では、図１０に示すように、シャツ３とパンツ４が予め同じ布地により一体物で形成される点で、第１実施形態の乳児用衣服１と構成が異なる。この実施形態では、図１０に示すようなロンパースを加工することで、図９に示すような乳児用衣服２１が得られる。図１０において、中央の２点鎖線を境に、上側がシャツ３に相当する部分であり、下側がパンツ４に相当する部分である。図９に示すように、この衣服２１の外観は、図１のそれとほとんど変わりがない。
【００４０】
すなわち、この衣服２１は、図１０に示す様態から、パンツ４に相当する部分の腰廻部分４ａが外側へ折り返され、図９に示すように、その折り返し部分の周縁と、その折り返し部分に連続するシャツ３に相当する部分の裾となる部分２２の周縁とが互いに縫い糸７により縫い合わされる。また、その折り返し部分と裾となる部分２２とが、左右両脇にて身丈方向に沿って互いに縫い糸８により縫い合わされる。図９において、それら縫い糸７，８は太線で示される。この実施形態でも、シャツ３に相当する部分はその左右両脇に身丈方向に沿った縫い目９を有する。折り返し部分と裾となる部分２２とは、このシャツ３の縫い目９に重ねて互いに縫い糸８により縫い合わされる。
【００４１】
図１１に、折り返し部分６と裾となる部分２２とが身丈方向に沿って縫い合わされた縦縫い部分１２を断面図により示す。図１２には、上記縦縫い部分１２以外の縫われていない非縦縫い部分を断面図により示す。図１１，１２において、各太線はそれぞれ縫い糸７，８を示す。この実施形態でも、図１２に示すように、非縦縫い部分では、周縁を除いて折り返し部分６と裾となる部分２２とが分離自在であることから、その非縦縫い部分では余裕を持って変形自在である。
【００４２】
従って、この実施形態でも、前記第１実施形態の乳児用衣服１と同等の作用効果を得ることができる。また、この実施形態では、シャツ３とパンツ４が予め一体物で形成されるので、既製のロンパースを利用して乳児用衣服２１を製造することができる。
【００４３】
尚、この発明は前記各実施形態に限定されるものではなく、発明の趣旨を逸脱することのない範囲で以下のように実施することもできる。
【００４４】
（１）前記第１実施形態では、図４に示すように、縦縫い部分１２では、折り返し部分６の全域を裾２と縫い合わせたが、図１３に示すように、縦縫い部分１２の代わりに、折り返し部分６の折り曲げ部位１０だけを裾２に縫い合わせてもよい。この場合は、第１実施形態に比べて縫製時間を短縮することができる。
【００４５】
（２）前記第２実施形態では、図１１に示すように、縦縫い部分１２では、折り返し部分６の全域を裾となる部分２２と縫い合わせたが、図１４に示すように、縦縫い部分１２の代わりに、折り返し部分６の折り曲げ部位１０だけを裾となる部分２２に縫い合わせてもよい。この場合は、第２実施形態に比べて縫製時間を短縮することができる。
【００４６】
（３）前記各実施形態では、上衣として半袖シャツ３を適用し、下衣としてパンツ４を適用したが、上衣として長袖シャツを適用し、下衣としてズボンを適用してもよい。
【００４７】
（４）前記各実施形態では、折り返し部分６の折り曲げ部位１０に沿ってゴム紐１１を縫い付けたが、このゴム紐１１を省略してもよい。
【図面の簡単な説明】
【００４８】
【図１】乳児用衣服を示す正面図。
【図２】図１の裾を裏返して示す正面図。
【図３】乳児用衣服を分解して示す正面図。
【図４】縦縫い部分を示す断面図。
【図５】非縦縫い部分を示す断面図。
【図６】図５の変形状態を示す断面図。
【図７】乳児着用状態を示す平面図。
【図８】乳児着用状態を示す平面図。
【図９】乳児用衣服を示す正面図。
【図１０】図９の裾となる部分を形成する前の状態を示す正面図。
【図１１】縦縫い部分を示す断面図。
【図１２】非縦縫い部分を示す断面図。
【図１３】縦縫い部分の変形例を示す断面図。
【図１４】縦縫い部分の変形例を示す断面図。
【符号の説明】
【００４９】
１    乳児用衣服
２    裾
３    シャツ（上衣）
３ａ    首廻部分
３ｂ    左肩部分
４    パンツ（下衣）
４ａ    腰廻部分
６    折り返し部分
７    縫い糸
８    縫い糸
９    縫い目
１０  折り曲げ部位
１１    ゴム紐
２１    乳児用衣服
５０    裾となる部分
【図１】
2007056404.tif 000003
【図２】
2007056404.tif 000004
【図３】
2007056404.tif 000005
【図４】
2007056404.tif 000006
【図５】
2007056404.tif 000007
【図６】
2007056404.tif 000008
【図７】
2007056404.tif 000009
【図８】
2007056404.tif 000010
【図９】
2007056404.tif 000011
【図１０】
2007056404.tif 000012
【図１１】
2007056404.tif 000013
【図１２】
2007056404.tif 000014
【図１３】
2007056404.tif 000015
【図１４】
2007056404.tif 000016